(57)【要約】【課題】高周波及び高電圧の雷サージを効果的にアースへ放電することができる蓄電装置の被雷保護回路を提供すること。【解決手段】蓄電装置４の被雷保護回路１は、直流電源３の一対の入力配線３１，３２と蓄電装置４との間に接続され、蓄電装置４を被雷によるサージ電圧から保護するためのものである。被雷保護回路１は、各入力配線３１，３２とアースＧとの間において、下流側に位置するものほど容量が大きくなるよう複数段に並列に接続されたコンデンサＣ１〜Ｃ６と、複数段のコンデンサＣ１〜Ｃ６よりも下流側の位置において、各入力配線３１，３２に直列に接続されたコイルＬとを備えている。【選択図】図１
2014023398.tif 000002
【特許請求の範囲】
【請求項１】
直流電源の一対の入力配線と蓄電装置との間に接続され、該蓄電装置を被雷によるサージ電圧から保護するための被雷保護回路であって、
上記各入力配線とアースとの間において、下流側に位置するものほど容量が大きくなるよう複数段に並列に接続されたコンデンサと、
該複数段のコンデンサよりも下流側の位置において、上記各入力配線に直列に接続されたコイルと、を備えていることを特徴とする蓄電装置の被雷保護回路。
【請求項２】
請求項１に記載の蓄電装置の被雷保護回路において、上記複数段のコンデンサと上記コイルとによる放電部が、複数段に繰り返し直列に接続されていることを特徴とする蓄電装置の被雷保護回路。
【請求項３】
直流電源の一対の入力配線と蓄電装置との間に接続され、該蓄電装置を被雷によるサージ電圧から保護するための被雷保護回路であって、
上記各入力配線とアースとの間に接続されたコンデンサと、該コンデンサよりも下流側の位置において上記各入力配線に直列に接続されたコイルとを有する放電部が、複数段に繰り返し直列に接続されており、
上記複数段の放電部のうち、下流側に位置する放電部ほど、上記コンデンサと上記コイルとの少なくとも一方の容量又はインダクタンスが大きくなることを特徴とする蓄電装置の被雷保護回路。
【請求項４】
請求項３に記載の蓄電装置の被雷保護回路において、上記各段の放電部における上記コンデンサは、下流側に位置するものほど容量が大きくなるよう複数段に並列に接続されていることを特徴とする蓄電装置の被雷保護回路。
【請求項５】
請求項１〜４のいずれか一項に記載の蓄電装置の被雷保護回路において、上記被雷保護回路よりも下流側には、被雷時にスイッチング素子によって入力を遮断又は制限する後段保護回路が直列に接続されていることを特徴とする蓄電装置の被雷保護回路。
【請求項６】
請求項５に記載の蓄電装置の被雷保護回路において、上記後段保護回路は、上記一対の入力配線のプラス側において、該プラス側の入力配線の導通及び遮断の切換えを行うよう接続されたスイッチング素子と、上記一対の入力配線のマイナス側において、該マイナス側の入力配線の上流側にカソード端子を向けて直列接続されたダイオードとを備えていることを特徴とする蓄電装置の被雷保護回路。
【請求項７】
請求項１〜６のいずれか一項に記載の蓄電装置の被雷保護回路において、上記直流電源は、太陽光パネルに接続されており、上記蓄電装置は、蓄電池と、該蓄電池に対して電力を充電する充電器とを有していることを特徴とする蓄電装置の被雷保護回路。
【請求項８】
請求項１〜７のいずれか一項に記載の蓄電装置の被雷保護回路において、上記コンデンサはセラミックコンデンサであることを特徴とする蓄電装置の被雷保護回路。
【請求項９】
請求項８に記載の蓄電装置の被雷保護回路において、上記コンデンサの表面は、アースに接続された導通性部材によって覆われていることを特徴とする蓄電装置の被雷保護回路。
【請求項１０】
請求項８に記載の蓄電装置の被雷保護回路において、上記コンデンサの上記入力配線側には、コイルが直列に接続されており、
該コイル及び上記コンデンサの表面は、アースに接続された導通性部材によって覆われていることを特徴とする蓄電装置の被雷保護回路。
【請求項１１】
請求項１〜１０のいずれか一項に記載の蓄電装置の被雷保護回路において、該被雷保護回路は、上記一対の入力配線に対して、コネクタによって着脱可能であることを特徴とする蓄電装置の被雷保護回路。
【発明の詳細な説明】
【技術分野】
【０００１】
本発明は、蓄電装置を被雷によるサージ電圧から保護するための被雷保護回路に関する。
【背景技術】
【０００２】
太陽光発電等を行う際に、発電した電力を蓄電装置によって蓄電池に蓄電することが行われている。そして、落雷が起こった際に蓄電装置を保護するための保護回路が用いられる。
例えば、特許文献１においては、落雷等によって過電流が生じたときに、意図的に破断させるコンデンサについて開示されている。そして、コンデンサが破壊されることにより、電子機器全体を破壊してしまう発熱や発火が生ずることを回避している。
また、例えば、特許文献２においては、高調波電流抑制回路のチョークコイル間に、サージ電圧を保護する放電用ギャップをプリント基板のパターンによって設けた電源装置について開示されている。そして、電源装置に昇圧型の高調波電流抑制回路を組み込んだ場合であっても、サージ電圧の跳ね上がりを防止している。
【先行技術文献】
【特許文献】
【０００３】
【特許文献１】特開平１０−７０８３１号公報
【特許文献２】特開平１０−２８９７７５号公報
【発明の概要】
【発明が解決しようとする課題】
【０００４】
しかしながら、被雷時のサージ電圧は、極めて速い速度で極めて大きな電圧及び電流となって各機器に流れ込む。そのため、蓄電装置を被雷時のサージ電圧から十分に保護するためには、更なる工夫が必要とされる。
【０００５】
本発明は、かかる背景に鑑みてなされたもので、高周波及び高電圧の雷サージを効果的にアースへ放電することができる蓄電装置の被雷保護回路を提供しようとして得られたものである。
【課題を解決するための手段】
【０００６】
本発明の一態様は、直流電源の一対の入力配線と蓄電装置との間に接続され、該蓄電装置を被雷によるサージ電圧から保護するための被雷保護回路であって、
上記各入力配線とアースとの間において、下流側に位置するものほど容量が大きくなるよう複数段に並列に接続されたコンデンサと、
該複数段のコンデンサよりも下流側の位置において、上記各入力配線に直列に接続されたコイルと、を備えていることを特徴とする蓄電装置の被雷保護回路にある（請求項１）。
【０００７】
本発明の他の態様は、直流電源の一対の入力配線と蓄電装置との間に接続され、該蓄電装置を被雷によるサージ電圧から保護するための被雷保護回路であって、
上記各入力配線とアースとの間に接続されたコンデンサと、該コンデンサよりも下流側の位置において上記各入力配線に直列に接続されたコイルとを有する放電部が、複数段に繰り返し直列に接続されており、
上記複数段の放電部のうち、下流側に位置する放電部ほど、上記コンデンサと上記コイルとの少なくとも一方の容量又はインダクタンスが大きくなることを特徴とする蓄電装置の被雷保護回路にある（請求項３）。
【発明の効果】
【０００８】
上記一態様の蓄電装置の被雷保護回路は、複数段のコンデンサとコイルとを用いることにより、蓄電装置を被雷時のサージ電圧から保護するものである。
落雷により直流電源に雷サージが侵入するときには、大きなサージ電流が瞬時に被雷保護回路へと流れ込む。このとき、直流電源の各入力配線にコイルが設けられていることにより、コイルで逆起電力が生じ、蓄電装置へ流れる電流が絞られる。そして、各コイルによって流れが止められたサージ電流は、複数段のコンデンサからアース（地中）へ放電される。
【０００９】
複数段のコンデンサは、容量の小さいものから順に上流側から並んでいる。容量の小さなコンデンサによって、サージ電圧における高周波の成分をアースへ放電することができる。また、容量の大きなコンデンサによって、サージ電圧における低周波の成分をアースへ放電することができる。そして、容量の小さなコンデンサほど上流側に位置することにより、エネルギーの大きな高周波の成分を素早くアースへ放電して、この高周波の成分が残留しにくくすることができる。また、容量の大きなコンデンサにより、低周波の成分のサージ電流をアースへ放電することができる。
【００１０】
また、雷サージの電力の大きさによっては、コンデンサが破壊されることがある。この場合、一対の入力配線におけるコイルは直流を抵抗なく通過させるため、蓄電装置を通常動作させる上では何の支障もない。また、破壊されたコンデンサは、適宜別のコンデンサと交換することができる。
それ故、上記一態様の蓄電装置の被雷保護回路によれば、高周波及び高電圧の雷サージを効果的にアースへ放電することができる。
【００１１】
上記他の態様の蓄電装置の被雷保護回路においても、容量又はインダクタンスの小さなコンデンサ及びコイルによって、サージ電圧における高周波の成分をアースへ放電することができる。また、容量又はインダクタンスの大きなコンデンサ及びコイルによって、サージ電圧における低周波の成分をアースへ放電することができる。そして、下流側に位置する放電部ほどコンデンサとコイルとの少なくとも一方の容量又はインダクタンスが大きくなっていることにより、上流側の放電部において、サージ電圧における高周波の成分を素早くアースへ放電して、この高周波の成分が下流側の放電部に残留しにくくすることができる。また、容量の大きなコンデンサにより、低周波の成分のサージ電流をアースへ放電することができる。そして、複数段の放電部によってサージ電圧を放電することにより、このサージ電圧を効果的に放電することができる。その他の作用効果については、上記一態様の蓄電装置の被雷保護回路と同様である。
それ故、上記他の態様の蓄電装置の被雷保護回路によっても、高周波及び高電圧の雷サージを効果的にアースへ放電することができる。
【図面の簡単な説明】
【００１２】
【図１】実施例１にかかる、蓄電装置の被雷保護回路を示す回路図。
【図２】実施例１にかかる、蓄電装置の他の被雷保護回路を示す回路図。
【図３】実施例１にかかる、蓄電装置の他の被雷保護回路を示す回路図。
【図４】実施例２にかかる、蓄電装置の被雷保護回路を示す回路図。
【図５】実施例３にかかる、蓄電装置の被雷保護回路を示す回路図。
【発明を実施するための形態】
【００１３】
上述した蓄電装置の被雷保護回路における好ましい実施の形態につき説明する。
上記一態様の蓄電装置の被雷保護回路において、下流側に位置するものほど容量が大きくなる複数段の並列のコンデンサの中には、並列に接続される同容量のものが含まれていてもよい。例えば、上流側に位置する複数のコンデンサを同容量にして、それよりも下流側に位置する複数のコンデンサを、上流側のコンデンサよりも容量を大きくすることができる。
【００１４】
上記他の態様の蓄電装置の被雷保護回路において、下流側に位置する放電部ほど、上記コンデンサの容量が大きくなるように設定し、上記コイルのインダクタンスはいずれの放電部においても同じにすることができる。また、下流側に位置する放電部ほど、コイルのインダクタンスが大きくなるように設定し、コンデンサの容量はいずれの放電部においても同じにすることができる。さらに、下流側に位置する放電部ほど、コンデンサ及びコイルの容量又はインダクタンスが大きくなるように設定することもできる。
【００１５】
上記一態様の蓄電装置の被雷保護回路においては、上記複数段のコンデンサと上記コイルとによる放電部が、複数段に繰り返し直列に接続されていてもよい（請求項２）。
この場合には、複数段の放電部によって、雷サージをより効果的にアースへ放電することができる。
【００１６】
また、上記他の態様の蓄電装置の被雷保護回路においては、上記各段の放電部における上記コンデンサは、下流側に位置するものほど容量が大きくなるよう複数段に並列に接続されていてもよい（請求項４）。
この場合には、各段の放電部における複数段のコンデンサは、容量の小さなコンデンサほど上流側に位置することにより、エネルギーの大きな高周波の成分を素早くアースへ放電して、この高周波の成分が残留しにくくすることができる。また、容量の大きなコンデンサにより、低周波の成分のサージ電流をアースへ放電することができる。
【００１７】
また、上記一態様及び他の態様の蓄電装置の被雷保護回路において、該被雷保護回路よりも下流側には、被雷時にスイッチング素子によって入力を遮断又は制限する後段保護回路が直列に接続されていてもよい（請求項５）。
この場合には、後段保護回路を用いることによって、被雷保護回路においてアースへ放電できなかったサージ電圧の部分が蓄電装置に侵入しないようにすることができる。
【００１８】
また、上記後段保護回路は、上記一対の入力配線のプラス側において、該プラス側の入力配線の導通及び遮断の切換えを行うよう接続されたスイッチング素子と、上記一対の入力配線のマイナス側において、該マイナス側の入力配線の上流側にカソード端子を向けて直列接続されたダイオードとを備えていてもよい（請求項６）。
この場合には、蓄電装置を動作させる通常の状態においては、スイッチング素子がプラス側の入力配線を導通し、ダイオードを通ってマイナス側の入力配線から入力のマイナス端子へと電流を流すことができる。そして、直流電源が被雷したときには、スイッチング素子がプラス側の入力配線を遮断して蓄電装置への雷サージ電流の侵入を防ぐとともに、ダイオードが蓄電装置への雷サージ電流の侵入を防ぐことができる。
【００１９】
また、上記直流電源は、太陽光パネルに接続されており、上記蓄電装置は、蓄電池と、該蓄電池に対して電力を充電する充電器とを有していてもよい（請求項７）。
この場合には、被雷保護回路によって、太陽光パネルに侵入する雷サージが充電器に侵入しないようにすることができる。
【００２０】
また、上記コンデンサはセラミックコンデンサであってもよい（請求項８）。
この場合には、雷サージ電流が流れる際に、発火、発煙の生じにくく、破壊時に非導通モード（状態）となるコンデンサを安価に実現することができる。また、コンデンサは、破壊時に非導通モードとなるものであれば、セラミックコンデンサ以外のものも用いることができる。
【００２１】
上記コンデンサの表面は、アースに接続された導通性部材によって覆われていてもよい（請求項９）。
この場合には、直流電源が被雷した際に、雷サージ電流を、コンデンサよりも導通性部材へ多く流すことができる。これにより、雷サージ電流によってコンデンサが破壊されにくくすることができる。
また、導通性部材は、金属メッシュ、金属板等から形成することができる。
【００２２】
上記コンデンサの上記入力配線側には、コイルが直列に接続されており、該コイル及び上記コンデンサの表面は、アースに接続された導通性部材によって覆われていてもよい（請求項１０）。
この場合には、直流電源が被雷した際に、コイルによって、雷サージ電流がコンデンサへ流れにくくし、この雷サージ電流が、コンデンサよりも導通性部材へより流れやすくすることができる。これにより、雷サージ電流によってコンデンサがより破壊されにくくすることができる。
【００２３】
また、上記被雷保護回路は、上記一対の入力配線に対して、コネクタによって着脱可能であってもよい（請求項１１）。
この場合には、直流電源と蓄電装置とに対して、コネクタによって被雷保護装置を簡単に着脱することができる。そのため、被雷保護装置の付替えが容易である。
【実施例】
【００２４】
以下に、上記蓄電装置の被雷保護回路にかかる実施例につき、図面を参照して説明する。
（実施例１）
本例の蓄電装置４の被雷保護回路１は、図１に示すごとく、直流電源３の一対の入力配線３１，３２と蓄電装置４との間に接続され、蓄電装置４を被雷によるサージ電圧から保護するためのものである。被雷保護回路１は、各入力配線３１，３２とアースＧとの間において、下流側に位置するものほど容量が大きくなるよう複数段に並列に接続されたコンデンサＣ１〜Ｃ６と、複数段のコンデンサＣ１〜Ｃ６よりも下流側の位置において、各入力配線３１，３２に直列に接続されたコイルＬとを備えている。
【００２５】
以下に、本例の蓄電装置４の被雷保護回路１につき、図１を参照して詳説する。
図１に示すごとく、本例の直流電源３は、太陽光パネル３３に接続されており、本例の蓄電装置４は、蓄電池４２と、蓄電池４２に対して電力を充電する充電器４１とを有している。直流電源３の一対の入力配線３１，３２は、被雷保護回路１を通って蓄電装置４の充電器４１へと接続されている。なお、充電器４１の上流側には直流電圧変換器（ＤＣ／ＤＣ変換器）を設けることができる。この場合には、直流電源３の一対の入力配線３１，３２は、直流電圧変換器の入力側に接続され、充電器４１が直流電圧変換器の出力側に接続されることになる。
【００２６】
被雷保護回路１において用いるコンデンサＣ１〜Ｃ６は、いずれもセラミックコンデンサである。また、コイルＬは、銅線を巻回して形成された一般的なものである。
本例のコンデンサＣ１〜Ｃ６は、プラス側の入力配線３１及びマイナス側の入力配線３２において、それぞれアースＧに対して６段に並列に接続されている。プラス側の入力配線３１及びマイナス側の入力配線３２において、複数段のコンデンサＣ１〜Ｃ６は、最も上流側に位置するものから順に、Ｃ１，Ｃ２，Ｃ３，Ｃ４，Ｃ５，Ｃ６の符号で示す。
【００２７】
各コンデンサＣ１〜Ｃ６の容量は、上流側に位置するものから下流側に位置するものにかけて順次大きくなるように、例えば、１ｐＦ、１０ｐＦ、１００ｐＦ、１ｎＦ、１０ｎＦ、１００ｎＦ、１μＦの中から設定することができる。また、プラス側の入力配線３１及びマイナス側の入力配線３２に配置したコイルＬは、２００μＨとして設定されている。コンデンサＣ１〜Ｃ６及びコイルＬは、それらの容量又はインダクタンスを大きくするに伴って、カットオフ周波数が低くなる。コンデンサＣ１〜Ｃ６及びコイルＬは、想定される雷サージの波形に応じて適切な容量又はインダクタンスに設定することができる。
【００２８】
被雷保護回路１は、プラス側の入力配線３１に接続されるプラス側配線部１１と、マイナス側の入力配線３２に接続されるマイナス側配線部１２とによって構成されている。各配線部１１，１２の上流側端部は、上流側コネクタＣＮ１によってまとめられており、各配線部１１，１２の下流側端部は、下流側コネクタＣＮ２によってまとめられている。そして、被雷保護回路１は、上流側コネクタＣＮ１を直流電源３の取付コネクタＣＮ３に装着し、下流側コネクタＣＮ２を充電器４１（又は直流電圧変換器）の取付コネクタＣＮ４に装着することによって使用される。そして、被雷保護回路１は、上流側コネクタＣＮ１及び下流側コネクタＣＮ２によって、一対の入力配線３１，３２及び蓄電装置４に対して着脱可能である。
【００２９】
本例の蓄電装置４の被雷保護回路１は、複数段のコンデンサＣ１〜Ｃ６とコイルＬとを用いることにより、蓄電装置４を被雷時のサージ電圧から保護するものである。
落雷により太陽光パネル３３に雷サージが侵入するときには、大きなサージ電流が瞬時に被雷保護回路１へと流れ込む。このとき、直流電源３の各入力配線３１，３２にコイルＬが設けられていることにより、コイルＬで逆起電力が生じ、蓄電装置４へ流れる電流が絞られる。そして、各コイルＬによって流れが止められたサージ電流は、複数段のコンデンサＣ１〜Ｃ６からアースＧ（地中）へ放電される。
【００３０】
複数段のコンデンサＣ１〜Ｃ６は、容量の小さいものから順に上流側から並んでいる。容量の小さなコンデンサによって、サージ電圧における高周波の成分をアースＧへ放電することができる。また、容量の大きなコンデンサによって、サージ電圧における低周波の成分をアースＧへ放電することができる。そして、容量の小さなコンデンサほど上流側に位置することにより、エネルギーの大きな高周波の成分を素早くアースＧへ放電して、この高周波の成分が残留しにくくすることができる。また、容量の大きなコンデンサにより、低周波の成分のサージ電流をアースＧへ放電することができる。
【００３１】
また、雷サージの電力の大きさによっては、コンデンサＣ１〜Ｃ６が破壊されることがある。この場合、一対の入力配線３１，３２におけるコイルＬは直流を抵抗なく通過させるため、蓄電装置４を通常動作させる上では何の支障もない。また、破壊されたコンデンサＣ１〜Ｃ６は、適宜別のコンデンサと交換することができる。
それ故、本例の蓄電装置４の被雷保護回路１によれば、高周波及び高電圧の雷サージを効果的にアースＧへ放電することができる。
【００３２】
また、図２に示すごとく、コンデンサＣ１〜Ｃ６の表面は、アースＧに接続された導通性部材３４によって覆うことができる。導通性部材３４は、金属メッシュ、金属板等の金属からなるとともに、コンデンサＣ１〜Ｃ６の表面を覆う筒形状に形成されており、その一端がアースＧに接続されている。
この場合には、太陽光パネル３３が被雷した際に、雷サージ電流を、コンデンサＣ１〜Ｃ６よりも導通性部材３４へ多く流すことができる。これにより、雷サージ電流によってコンデンサＣ１〜Ｃ６が破壊されにくくすることができる。
【００３３】
また、図３に示すごとく、コンデンサＣ１〜Ｃ６の入力配線側には、コイルＭを直列に接続し、コイルＭ及びコンデンサＣ１〜Ｃ６の表面は、アースＧに接続された導通性部材３４によって覆うことができる。導通性部材３４は、コイルＭ及びコンデンサＣ１〜Ｃ６の全体を連続して覆う筒形状に形成されており、その一端がアースＧに接続されている。
この場合には、太陽光パネル３３が被雷した際に、コイルＭによって、雷サージ電流がコンデンサＣ１〜Ｃ６へ流れにくくし、この雷サージ電流が、コンデンサＣ１〜Ｃ６よりも導通性部材３４へより流れやすくすることができる。これにより、雷サージ電流によってコンデンサＣ１〜Ｃ６がより破壊されにくくすることができる。
【００３４】
（実施例２）
本例は、図４に示すごとく、被雷保護回路１において、複数段のコンデンサＣ１〜Ｃ６とコイルＬ１，Ｌ２とによる放電部２１，２２を、２段に繰り返し直列に接続した例である。
本例の被雷保護回路１においては、各入力配線３１，３２とアースＧとの間に接続されたコンデンサＣ１〜Ｃ６と、コンデンサＣ１〜Ｃ６よりも下流側の位置において各入力配線３１，３２に直列に接続されたコイルＬ１，Ｌ２とを有する放電部２１，２２が、２段に繰り返し直列に接続されている。また、２段の放電部２１，２２のうち、下流側に位置する下段の放電部２２におけるコイルＬ２のインダクタンスが、上流側に位置する上段の放電部２１におけるコイルＬ１のインダクタンスよりも大きくなっている。
【００３５】
また、各段の放電部２１，２２におけるコンデンサＣ１〜Ｃ６は、６段に並列に接続されており、６段のコンデンサＣ１〜Ｃ６は、下流側に位置するものほど容量が大きくなっている。本例においては、上段の放電部２１における６段のコンデンサＣ１〜Ｃ６と、下段の放電部２２における６段のコンデンサＣ１〜Ｃ６との各容量は、上記実施例１における複数段のコンデンサＣ１〜Ｃ６と同じである。
上段の放電部２１におけるコイルＬ１は、１００μＨに設定されており、下段の放電部２２におけるコイルＬ２は、２００μＨに設定されている。
【００３６】
本例においては、上段の放電部２１のコイルＬ１に比べて下段の放電部２２のコイルＬ２のインダクタンスが大きくなっていることにより、上段の放電部２１において、雷サージ電圧における高周波の成分を素早くアースＧへ放電して、この高周波の成分が下段の放電部２２に残留しにくくすることができる。また、容量の大きなコンデンサにより、低周波の成分の雷サージ電流をアースＧへ放電することができる。そして、上段の放電部２１と下段の放電部２２との２段階で雷サージ電圧を放電することにより、この雷サージ電圧を効果的に放電することができる。
本例においても、蓄電装置４の被雷保護回路１のその他の構成は上記実施例１と同様であり、上記実施例１と同様の作用効果を得ることができる。
【００３７】
（実施例３）
本例は、図５に示すごとく、直流電源３の一対の入力配線３１，３２において、被雷保護回路１よりも下流側に、被雷時にスイッチング素子Ｔによって入力を遮断又は制限する後段保護回路２３を直列に接続した例である。
本例の後段保護回路２３は、一対の入力配線３１，３２のうちプラス側の入力配線３１の導通及び遮断の切換えを行うよう接続されたスイッチング素子Ｔと、一対の入力配線３１，３２のうちマイナス側の入力配線３２の上流側にカソード端子を向けて直列接続されたダイオードＤとを備えている。
【００３８】
本例のスイッチング素子Ｔは、電界効果トランジスタＴ（ＦＥＴ）であり、本例のダイオードＤは、ツェナダイオードＤである。電界効果トランジスタＴは、２つが直列に接続されており、各電界効果トランジスタＴは、ドレイン端子とソース端子とがプラス側の入力配線３１において直列に接続されている。各電界効果トランジスタＴのゲート端子は、被雷を検出して信号を発する装置に接続されている。
ツェナダイオードＤは、いずれもカソード端子をマイナス側の入力配線３２の上流側に向けて、２つ直列に接続されたものが並列に３つ接続されている。なお、ツェナダイオードＤは、マイナス側の入力配線３２に１つだけ設けることもできる。
【００３９】
後段保護回路２３は、複数の電界効果トランジスタＴが配置されたプラス側配線部１１と、複数のツェナダイオードＤが配置されたマイナス側配線部１２との各上流側端部は、上流側コネクタＣＮ５によってまとめられており、各下流側端部は、下流側コネクタＣＮ６によってまとめられている。そして、被雷保護回路１及び後段保護回路２３は、各コネクタＣＮ１，ＣＮ２，ＣＮ５，ＣＮ６によって、一対の入力配線３１，３２及び蓄電装置４に対して着脱可能である。
【００４０】
蓄電装置４を動作させる通常の状態においては、各電界効果トランジスタＴのゲート端子に入力電圧が供給されている。そして、太陽光パネル３３から流れ込む電流は、プラス側の入力配線３１から充電器４１（又は直流電圧変換器）へ流れ、充電器４１（又は直流電圧変換器）からツェナダイオードＤを通ってマイナス側の入力配線３２から入力のマイナス端子へと流れる。これにより、通常の状態においては、太陽光パネル３３から充電される電流は、被雷保護回路１及び後段保護回路２３を何ら支障なく流れて、充電器４１によって蓄電池４２に充電される。
【００４１】
一方、太陽光パネル３３が被雷したときには、各電界効果トランジスタＴのゲート端子への供給電圧がなくなり、各電界効果トランジスタＴがプラス側の入力配線３１を遮断する。そして、被雷保護回路１において放電しきれなかった雷サージ電流の残部が、プラス側の入力配線３１から充電器４１（又は直流電圧変換器）へ侵入してしまうことを防止することができる。また、太陽光パネル３３が被雷したときに、被雷保護回路１において放電しきれなかった雷サージ電流の残部は、ツェナダイオードＤによってマイナス側の入力配線３２から充電器４１（又は直流電圧変換器）へ侵入してしまうことを防止することができる。
【００４２】
本例においては、後段保護回路２３を用いることによって、被雷保護回路１においてアースＧへ放電できなかったサージ電圧の部分が蓄電装置４に侵入しないようにすることができる。そのため、蓄電装置４への雷サージ電流の侵入をより確実に防止することができる。
なお、後段保護回路２３は、複数段の放電部２１，２２（図４参照）を設けた被雷保護回路１の下流側に直列接続することもできる。
本例においても、蓄電装置４の被雷保護回路１のその他の構成は上記実施例１と同様であり、上記実施例１と同様の作用効果を得ることができる。
【符号の説明】
【００４３】
１  被雷保護回路
１１  プラス側配線部
１２  マイナス側配線部
２１  上段の放電部
２２  下段の放電部
２３  後段保護回路
３  直流電源
３１  プラス側の入力配線
３２  マイナス側の入力配線
３３  太陽光パネル
４  蓄電装置
Ｇ  アース
Ｃ  コンデンサ
Ｌ  コイル
Ｔ  スイッチング素子
Ｄ  ダイオード
【図１】
2014023398.tif 000003
【図２】
2014023398.tif 000004
【図３】
2014023398.tif 000005
【図４】
2014023398.tif 000006
【図５】
2014023398.tif 000007